(57)【要約】【課題】  スライダーと取っ手部の内周面との隙間をできるだけ小さくし、この隙間から取っ手部内にゴミが入ることを防止してスライダーの円滑な動作を確保できるようにすると共に、主目盛を正確に且つ楽に読み取ることができ、またスライダーに目盛を簡単、迅速に取り付けることができるようにする。【解決手段】  締付けトルク設定用の調整ネジ１と、この調整ネジ１の回転操作で軸方向に沿って進退動作する主目盛３付きのスライダー２とを、取っ手部５に収納する。スライダー２の主目盛３を読み取るための覗き窓１１を、取っ手部５に形成する。主目盛３をシート片１３に付し、このシート片１３の厚さと略同じ寸法だけ円筒形スライダー２の周側面を周方向に延びて段差状に凹ませ、この凹段差部１４にシート片１３を付着する。【選択図】      図１
2006015466.tif 000002
【特許請求の範囲】
【請求項１】
締付けトルク設定用の調整ネジと、この調整ネジの回転操作で軸方向に沿って進退動作する主目盛付きのスライダーとが取っ手部に収納され、スライダーの主目盛を読み取るための覗き窓が取っ手部に形成されているトルクレンチであって、上記の主目盛がシート片に付され、このシート片の厚さと略同じ寸法だけ円筒形スライダーの周側面が周方向に延びて段差状に凹まれ、この凹段差部に上記のシート片が付着されていることを特徴とするトルクレンチ。
【請求項２】
請求項１記載のトルクレンチであって、凹段差部が、スライダーの周方向の全長にわたって形成されていることを特徴とするトルクレンチ。
【請求項３】
請求項１又は２記載のトルクレンチであって、軸方向に沿った覗き窓の両側縁が、外側方に向かって上り傾斜状に形成されていることを特徴とするトルクレンチ。
【発明の詳細な説明】
【技術分野】
【０００１】
本発明は、設定トルクを超えると、トルクが解放されるよう形成した手動式のトルクレンチに関し、更に詳しくは設定トルクを表示する目盛板の取り付け状態を改良したトルクレンチに関するものである。
【背景技術】
【０００２】
従来この種のトルクレンチとしては、例えば締付けトルク設定用の調整ネジと、この調整ネジの回転操作で軸方向に沿って進退動作する主目盛付きのスライダーとが取っ手部に収納され、スライダーの主目盛を読み取るための覗き窓が、取っ手部に形成されているものがある（例えば特許文献１、同２参照）。
【０００３】
ところでこの種のトルクレンチは、スライダーの円滑な進退動作を確保できるよう、ゴミが覗き窓から取っ手部内に入ることを防止でき、また使い勝手が良くなるよう、目盛を正確に且つ楽に読み取ることができ、更には目盛をスライダーに簡単、迅速に取り付けることができるよう形成されているのが望ましい。
しかるに従来品の場合は、主目盛の付された目盛板を、例えば金属の薄い方形板で形成し、この目盛板を固定するためのスライダーの外側面を平面状に加工し、この外側面の位置に、目盛板をかしめ加工等によって固定しているのが通例であった。
【０００４】
従って従来品によると、スライダーと取っ手部の内周面との間に隙間が大きくでき、この隙間を介してゴミが取っ手部内に入り易い、という問題点があった。また従来品は、上記の通り、スライダーの外側面を平面加工し、この平面部に目盛板をかしめ加工等によって固定しているため、主目盛が覗き窓から離されて配置され、従って主目盛を読み取り難く、また目盛板の固定作業に手間暇がかかるのを避けられなかった。
また特許文献２に記載の従来品では、主目盛の付された目盛板がスライダーの外側面に、凸段差状に形成されていた。従ってこの従来品によると、スライダーの円滑な進退動作を確保するため、取っ手部の内周面とスライダーの外側面との間に、隙間を大きくとる必要があったから、特許文献1の従来品の場合と同様、上記の隙間から取っ手部内にゴミが入り易いものであった。
【特許文献１】特開２０００−２４６６６１号公報
【特許文献２】特開２０００−２８０１８４号公報
【発明の開示】
【発明が解決しようとする課題】
【０００５】
本発明は、このような従来技術の問題点に鑑み、提案されたものである。
従って本発明の解決しようとする技術的課題は、スライダーと取っ手部の内周面との隙間をできるだけ小さくし、この隙間から取っ手部内にゴミが入ることを防止してスライダーの円滑な動作を確保できるようにすると共に、主目盛を正確に且つ楽に読み取ることができ、またスライダーに目盛を簡単、迅速に取り付けることができるよう形成したトルクレンチを提供することにある。
【課題を解決するための手段】
【０００６】
本発明は、上記の課題を解決するため、次のような技術的手段を採る。
即ち本発明は、図１等に示されるように、締付けトルク設定用の調整ネジ１と、この調整ネジ１の回転操作で軸方向に沿って進退動作する主目盛３付きのスライダー２とが取っ手部５に収納され、スライダー２の主目盛３を読み取るための覗き窓１１が取っ手部５に形成されているトルクレンチであって、上記の主目盛３がシート片１３に付され、このシート片１３の厚さと略同じ寸法だけ円筒形スライダー２の周側面が周方向に延びて段差状に凹まれ、この凹段差部１４に上記のシート片１３が付着されていることを特徴とする（請求項１）。
【０００７】
本発明の場合、シート片１３の厚さ、材質、形状、色等は任意である。シート片１３は、例えば粘着シールで形成されているのが好ましい。なぜならこれによると、裏面の剥離紙を剥がして凹段差部１４に貼り付けることにより、シート片１３を迅速、容易に付着できるからである。またシート片１３の大きさは、覗き窓１１の開口面積より大きく、且つスライダー２の移動に伴ってシート片１３が移動しても、覗き窓１１から端部が見えない大きさ（覗き窓１１内に端部が臨まない状態）に形成されているのが好ましい。なぜならこれによると、取っ手部５の内周面とシート片１３との隙間の発生を極力抑えることができ、その分、ゴミの侵入を防止できるからである。ここで、このシート片１３の厚さと略同じ寸法だけ、とはシート片１３の表面がスライダー２の進退動作時に取っ手部５の内周面に触れて擦れることがないよう形成されている、ということを意味する。従って本発明は、凹段差部１４の深さをシート片１３の厚さと同一に選定する場合には限定されない。
【０００８】
而して請求項１記載の本発明の場合は、凹段差部１４が、スライダー２の周方向の全長にわたって形成されているのが好ましい（請求項２）。
【０００９】
なぜならこれによると、凹段差部１４の加工工程が連続した一工程で済み、スライダー２の加工時間を短縮化でき、加工コストを低減化できるからである。
【００１０】
また請求項１又は２に係る本発明の場合は、図１Ｂ、図２に示されるように、軸方向に沿った覗き窓１１の両側縁１２が、外側方に向かって上り傾斜状に形成されているのが好ましい（請求項３）。
【００１１】
なぜならこれによると、作業者は、覗き窓１１の真上から主目盛３を見なくても、斜め横から主目盛３を読むことができ、主目盛の読み取りを楽にでき、使い勝手が良くなるからである。
【発明の効果】
【００１２】
本発明のトルクレンチは、このように主目盛をシート片に付し、このシート片の厚さと略同じ寸法だけ円筒形スライダーの周側面を周方向に延びて段差状に凹ませ、この凹段差部に上記のシート片を付着しているものである。
従って本発明によると、スライダーと取っ手部の内周面との隙間を極力小さくできるから、これによれば、この隙間から取っ手部内にゴミが入ることを防止でき、スライダーの円滑な動作を長期間にわたって確保できる。
また本発明の場合は、凸湾曲状を呈する主目盛により、覗き窓と主目盛との距離が近くなる。従ってこれによると、作業者は、主目盛を正確に且つ楽に読み取ることができる。
また本発明は、凹段差部に沿ってシート片を例えば貼り付けることでスライダーに主目盛を形成できる。従ってこれによると、主目盛の付着作業を簡単化、迅速化できる。
【発明を実施するための最良の形態】
【００１３】
以下、本発明を実施するための最良の形態を説明する。
図１等において、１は締付けトルク設定用の調整ネジである。２は、この調整ネジ１の回転操作で軸方向に沿って進退動作する主目盛３付きの円筒形のスライダーである。調整ネジ１は、スライダー２の軸心部の雌ネジ４に螺合され、スライダー２は調整ネジ１に外装され、取っ手部５に収納されている。６は、スライダー２が周方向に回転するのを防止し、軸方向に案内するためのガイド部材である。このガイド部材６は、ネジ７で取っ手部５に固定されている。
【００１４】
取っ手部５は、金属製のレバー本体８の基端部８ａの側が所定の長さだけ、円筒形に且つ表面が滑り止め加工されることにより形成されている。９はコイルバネであり、このコイルバネ９の後端はスライダー２で受け止められている。１０は、レバー本体８の基端部８ａに設けられているトルク設定用の摘みである。この摘み１０と調整ネジ１とは一体状に連結されている。従って本発明は、作業者が摘み１０を手動で正逆方向に回すと、スライダー２が調整ネジ１に沿って軸方向に進退動作し、コイルバネ９の弾発力が調節され、トルク値が設定されるものである。
【００１５】
１１は、スライダー２の主目盛３（図２、図３参照）を読み取るための覗き窓である。この覗き窓１１は、取っ手部５に方形の小窓状に開口されている。この覗き窓１１は、取っ手部５の軸方向に沿った両側縁１２が、図１Ｂに示されるように、外側方に向かって上り傾斜状、換言すると取っ手部５の長手方向と直交する方向の断面が外側方に向かって末広がりの略逆ハの字形に形成されている。
【００１６】
而して主目盛３は、シート片１３に例えば印刷され、シート片１３はこの実施形態では粘着シールで形成されている。１４は、スライダー２の周側面が、周方向に延びて段差状に凹まれて形成された凹段差部である。この凹段差部１４の深さ（段差）は、この実施形態ではシート片１３の厚さと同一に選定されている。シート片１３は、その裏面の剥離紙が剥がされ、この凹段差部１４の湾曲に沿って貼り付けられている。
【００１７】
次に本発明の使い方を説明する。
本発明は、作業者が摘み１０を手指で回転すると、調整ネジ１が摘み１０と一緒に回転し、スライダー２が調整ネジ１に沿って軸方向に移動する。従って主目盛３がスライダー２と一緒に軸方向に移動するため、作業者は覗き窓１１からこの主目盛３と、また基端部８ａの側に形成される副目盛（図示せず）を見ながら、トルク値を設定する。
【００１８】
本発明の場合、主目盛３は、スライダー２の凹段差部１４の周側面に沿って上側に凸湾曲の状態で覗き窓１１に配置されている。即ち本発明によると、主目盛３が覗き窓１１の開口に、上方に突き出されるように臨まれるから、作業者は主目盛３を容易に読み取ることができる。しかもこの実施形態では、覗き窓１１の両側縁１２が外側方に向かって上り傾斜状に形成されている。従って作業者は、覗き窓１１の真上から見なくても、斜めから主目盛３を容易に読み取ることができる。また本発明の場合、取っ手部５の内周面とスライダー２との隙間は、スライダー２が移動可能な必要最低限の距離であれば良い。従ってこれによると、取っ手部５の内周面とスライダー２の周側面との隙間を極力小さくできるから、ゴミが取っ手部５内に入り難くなる。
【図面の簡単な説明】
【００１９】
【図１】本発明のトルクレンチの好適な一実施形態を示し、Ａは一部を切欠した要部縦断面図、ＢはＡのＢ−Ｂ線拡大断面図、Ｃは主目盛が表示されたシート片の平面図である。
【図２】同上トルクレンチの一部を切欠した要部拡大平面図である。
【図３】主目盛を付着したスライダーを示し、Ａは平面図、ＢはＡのＢ−Ｂ線断面図である。
【図４】主目盛を付着する前のスライダーを示し、Ａは正面図、ＢはＡのＢ−Ｂ線断面図である。
【符号の説明】
【００２０】
１    調整ネジ
２    スライダー
３    主目盛
５    取っ手部
１１  覗き窓
１３  シート片
１４  凹段差部
【図１】
2006015466.tif 000003
【図２】
2006015466.tif 000004
【図３】
2006015466.tif 000005
【図４】
2006015466.tif 000006